(57)【要約】【課題】断熱性及び耐火性を有すると共に施工性に優れ且つ火災時に内部で発生したガスによる破裂を防止できる建築用パネルを提供する。【解決手段】一方の金属板３と他方の金属板５との間に芯材７と配置してあり、芯材７は発泡樹脂材からなる断熱板９と、無機材からなる耐火板１１とを見込み方向に貼り合わせてある建築用パネル１において、上下に隣合う建築用パネル体１、１を凹部１５と凸部１３とを互に嵌合可能にしてあり、凹部１５と凸部１３では、一方の金属板３の端部３ａ、３ｂと他方の金属板５の端部５ａ、５ｂを各々見込方向に折り曲げてあり且つ金属板３、５の端部どうし３ａ、５ａ及び３ｂ、５ｂが見込面において互いに間隔Ｓをあけている。【選択図】図１
2013072266.tif 000002
【特許請求の範囲】
【請求項１】
一方の金属板と、他方の金属板と、一方の金属板と他方の金属板との間に配置した芯材とを備え、芯材は発泡樹脂材からなる断熱板と、無機材からなる耐火板とを見込み方向に貼り合わせてある建築用パネルにおいて、
一端部に凹部を形成し、他端部に凸部を形成して隣合う建築用パネル体を凹部と凸部とを互に嵌合可能にしてあり、前記凹部と前記凸部では、一方の金属板の端部と他方の金属板の端部を各々見込方向に折り曲げてあり且つ金属板の端部どうしが見込面において互いに間隔をあけていることを特徴とする建築用パネル。
【請求項２】
前記凸部には、断熱材の端面の外周側に見込方向に重ね合わせた補強用耐火材が設けてあると共に補強用耐火材の重ね合わせ面が前記金属板の端部間に位置していることを特徴とする請求項１に記載の建築用パネル。
【請求項３】
前記凹部には、見込面に穴を形成した金属製の補助板を設けてあり、補助板は断熱板の端面に設けてあると共に見込み方向両側には各々断熱板の外周側に突設した突出部を有し、各金属板の他端部を折り返して補助板の突出部を保持していることを特徴とする請求項１又は２に記載の建築用パネル。
【発明の詳細な説明】
【技術分野】
【０００１】
本発明は、断熱性及び耐火性を有し、建築構造体の外壁、内壁、塀、間仕切り等に用いられる建築用パネルに関する。
【背景技術】
【０００２】
特許文献１には、一方の金属板と他方の金属板との間に断熱材を芯材として配置すると共に一端部に凹部を形成し他端部に凸部を形成して隣り合う建築用パネルを互いに嵌合可能にした建築用パネルが開示されている。
特許文献２には、発泡樹脂材からなる断熱材と無機材からなる耐火材とを重ね合わせた建築用パネルが開示されている。
【先行技術文献】
【特許文献】
【０００３】
【特許文献１】特許第４６３３２８４号公報
【特許文献１】特開２００４−１００２２８号公報
【発明の概要】
【発明が解決しようとする課題】
【０００４】
しかし、特許文献１の建築用パネルは、一方の金属板と他方の金属板とで断熱パネルを密封するように、断熱パネル全体の四周全体を覆っているので、火災時の熱により発泡樹脂材製の断熱パネルや接着剤からガスが発生すると、ガスが逃げ場を失って圧力が高まり、建築用パネルが破裂して損傷するおそれがあった。
一方、特許文献２の建築用パネルでは、発泡樹脂材製の断熱材と耐火材とを重ね合わせただけで、凹凸嵌合する構成でない為に施工性に劣るという問題がある。また、金属板により被覆されていないので、火災時に発泡樹脂材が溶融すると形状を維持できなくなり崩れるおそれがある。
【０００５】
そこで、本発明は、断熱性及び耐火性を有すると共に施工性に優れ且つ火災時に内部で発生したガスによる破裂を防止できる建築用パネルの提供を目的とする。
【課題を解決するための手段】
【０００６】
請求項１に記載の発明は、一方の金属板と、他方の金属板と、一方の金属板と他方の金属板との間に配置した芯材とを備え、芯材は発泡樹脂材からなる断熱板と、無機材からなる耐火板とを見込み方向に貼り合わせてある建築用パネルにおいて、一端部に凹部を形成し、他端部に凸部を形成して隣合う建築用パネル体を凹部と凸部とを互に嵌合可能にしてあり、前記凹部と前記凸部では、一方の金属板の端部と他方の金属板の端部を各々見込方向に折り曲げてあり且つ金属板の端部どうしが見込面において互いに間隔をあけていることを特徴とする。
【０００７】
請求項２に記載の発明は、請求項１に記載の発明において、前記凸部には、断熱材の端面の外周側に見込方向に重ね合わせた補強用耐火材が設けてあると共に補強用耐火材の重ね合わせ面が前記金属板の端部間に位置していることを特徴とする。
【０００８】
請求項３に記載の発明は、請求項１又は２に記載の発明において、前記凹部には、見込面に穴を形成した金属製の補助板を設けてあり、補助板は断熱板の端面に設けてあると共に見込み方向両側には各々断熱板の外周側に突設した突出部を有し、各金属板の他端部を折り返して補助板の突出部を保持していることを特徴とする。
【発明の効果】
【０００９】
請求項１に記載の発明によれば、芯材は一方の金属板と他方の金属板とで被覆すると共に、凹部及び凸部では一方の金属板の端部と他方の金属板の端部とが見込面において間隔をあけているので、火災時の熱により断熱板や接着剤からガスが噴出してもガスを逃すことができ、建築用パネルの破裂を防止できる。
特に、隣合う建築用パネルの凹部と凸部を互いに嵌合して建築用パネルを積み上げた場合でも凹部と凸部とから各パネルを通って、各断熱板から発生したガスを排出することができる。
また、施工時には凹部と凸部とを互いに嵌合して順次積上げることができ、施工性にすぐれる。
【００１０】
請求項２に記載の発明によれば、請求項１に記載の発明と同様な作用効果を奏すると共に、建築用パネルの凸部には補強用耐火材を設けているので、凸部の強度を高め施工時における変形を防止できる。また、凸部に設けた補強用耐火材は断熱材の端面の外周側に配置してあり且つ複数の補強用耐火材の重ね合わせ面を金属板の端部間に配置しているので、凸部に補強用耐火材を設けた場合でも火災時に断熱材から発生したガスを補強用耐火材の合わせ面から金属板の端部間に逃すことができる。
【００１１】
請求項３に記載の発明によれば、請求項１に記載の発明と同様な作用効果を奏すると共に、凹部に断熱材の端面に補助板を設けて凹部を補強していると共に、凹部に補助材を設けた場合でも補助材の穴から火災時に断熱材から発生したガスを逃すことができる。
【図面の簡単な説明】
【００１２】
【図１】本実施の形態にかかる建築用パネルを縦に切断して凸部を上にして示す斜視図である。
【図２】本実施の形態にかかる建築用パネルの縦断面図である。
【図３】本実施の形態にかかる建築用パネルの上下の嵌合を説明する図であり、（ａ）は嵌合前、（ｂ）は嵌合後の縦断面図である。
【図４】本実施の形態にかかる建築用パネルを縦に切断して凹部を上にして示す斜視図である。
【図５】建築用パネルで施工した外壁の一部を切断して示す斜視図である。
【発明を実施するための形態】
【００１３】
以下に、添付図面を参照して本発明の実施の形態を詳細に説明する。本実施の形態に係る建築用パネル１は、図５に示すように、外壁に用いられるとものである。
建築用パネル１は、図１及び図２に示すように、一方の金属板３と、他方の金属板５と、一方の金属板３と他方の金属板５との間に配置した芯材７とを備えている。芯材７と一方の金属板３と他方の金属板５とは各々、接着剤により固定されている。
【００１４】
芯材７は発泡樹脂材からなる断熱板９と、無機材からなる耐火板１１とを見込み方向に配置して接着剤で貼り合わせてある。
断熱板９の厚みは耐火板１１の厚みよりも厚くしてあり、断熱板９を建物の内側に配置し、耐火板１１を建物の外側に配置している。
【００１５】
建築用パネル１の上端部（一端部）には凸部１３が形成されており、下端部（他端部）には凹部１５が形成されており、図３に示すように、建築用パネル１を積み上げて施工するときに下に位置する建築用パネル１の凸部１３と上に位置する建築用パネル１の凹部１５とが互いに嵌合するようになっている。
凸部１３の下側で且つ一方の金属板３側には、略耐火材１１の厚み分を見込方向に凹ませた片部１７が形成してあり、この片部１７に、上に位置する建築用パネル１の下端部１９を載置するようになっている。
【００１６】
図１及び図２に示すように、凸部１３の下側で片部１７と反対側の面（他方の金属板５側の面）には段部２１が形成してある。断熱材９の上面９ａは段部２１に当接し、断熱板９の下面９ａは凹部１５の底面に当接してある。耐火板１１は断熱材９よりも上下寸法を長くしてあり、上端は片部１７まであり、下端は凹部１５を構成する壁を兼ねている。
【００１７】
凸部１３には、２枚の補強用耐火材２３、２３が見込方向に重ね合わせてある。
凹部１５には、図４に示すように、長手方向に多数の穴２７を形成したスチール製の補助板２５が設けてある。この補助板２５は断面が凹部１５の形状に沿って略コ字形状を成しており、穴２７を形成した平面部２５ａと平面部の両側（一方の金属板３側と他方の金属板５側）から突出する一方の脚部２５ｂと他方の脚部２５ｃとを有しいている。他方の脚部２５ｃのほうが一方の方脚部２５ｂよりも長く下方に突出している。
【００１８】
図１及び図２に示すように、一方の金属板３と他方の金属板５とは、各々建築用パネル１の見付面を覆っており、上端部では、凸部１３の上面において各々見込方向に折り曲げて、端部３ａ、５ａを互いに間隔をあけて対向しており、一方の金属板３の上端部３ａと他方の金属板５の上端部５ａとの間に隙間Ｓを形成している。この隙間Ｓには、上述した２枚の補強用耐火材２３ａ、２３ｂとの合わせ面２４が位置している。
【００１９】
図３に示すように、一方の金属板３の下端部３ｂは、耐火板１１の下端面を覆うように見込み方向に折った後上方に折り返して上に向けてあり、耐火板１１と共に補助板２５の一方の脚部２５ｂを保持している。
他方の金属板５の下端部５ｂは、補助板２５の他方の脚部２５ｃの下端を覆って折り返して上方に向けており、補助板２５の他方の脚部２５ｃを保持している。
即ち、建築用パネル１の下端部でも一方の金属板３の下端部３ｂと他方の金属板５の下端部５ｂとは互いに間隔をあけている。
【００２０】
断熱板９は発泡樹脂材製であり、発泡樹脂材としては、フェノール系発泡体、ポリイソイアネート系発泡体、ポリスチレン系発泡体、ポリオレフィン系発泡体等を板状に加工したものを用いることができる。
【００２１】
耐火板１１は無機材であり、無機材としては、石膏ボード、珪酸カルシウム板、ロックウールボード、ＡＬＣ等が挙げられる。
【００２２】
一方及び他方金属板３、５としては、鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）等が挙げられる。
【００２３】
接着剤としては、有機系接着剤、無機系接着剤を用いることができる。有機系接着剤としては、エポキシ系、アクリル系、ウレタン系、オレフィン系、セルロース系、エチレン−酢酸ビニル系、塩化ビニル系、シリコーン系、各種ゴムラテックス系等が挙げられる。また、無機系接着剤としては、シリカ系、リン酸系、セメント系等が挙げられる。
【００２４】
次に、本実施の形態にかかる建築用パネル体１による外壁の施工及び作用、効果について説明する。
建築用パネル１の上に次の建築用パネル１を積上げる際には、図３に示すように、下の建築用パネル１の上端の凸部１３に上の建築用パネル１の下端の凹部１５を嵌合し、順次建築用パネル１を積上げて、図５に示すように、外壁を施工する。
【００２５】
図３（ｂ）に示すように、上下の建築用パネル１の嵌合により下の建築用パネル１の片部１７に上の建築用パネル１の下端部１９を載せて、一方の金属板３のパネル面を面一にしてある。他方の金属板５側では、下の建築用パネル１の凸部１３の下にある段部２１に他方側の脚部２５ｃが位置して他方の金属板５のパネル面を面一にしている。
【００２６】
本実施の形態によれば、図２に示すように、芯材７は一方の金属板３と他方の金属板５で被覆すると共に、凸部１３及び凹部１５では、一方の金属板３の端部３ａ、３ｂ及び他方の金属板５の端部５ａ、５ｂが見込面において互いに間隔をあけているので、火災時の熱により断熱板９や接着剤からガスが噴出してもガスを逃すことができ、建築用パネルの破裂を防止できる。
【００２７】
凹部１５には、断熱材９の下端面９ｂに補助板２５を設けて凹部１５を補強しているが、補助板２５を設けても補助材２５に設けた穴２７から火災時に断熱材９や接着剤から発生したガスを逃すことができる。
本実施の形態のように、建築用パネルの凹部１５と凸部１３を互いに嵌合して積み上げた場合でも凹部１５と凸部１３とから積み上げた各建築用パネル１を通って、断熱板９等から発生したガスを排出することができる。
【００２８】
図１及び図２に示すように、建築用パネル１の凸部１３には補強用耐火材２３を配置しているので、凸部１３の強度を高めて凸部１３の変形を防止できる。また、凸部１３に設けた補強用耐火材２３は断熱材９の端面の外周側に配置してあり且つ２枚の補強用耐火材２３、２３の重ね合わせ面２４を金属板３、５の端部間の隙間Ｓに配置しているので、火災時に断熱材９等から発生したガスを補強用耐火材２３、２３の合わせ面２４と、隙間Ｓを通って外に逃すことができる。
【００２９】
本発明は、上述した実施の形態に限らず、本発明の要旨を逸脱しない範囲で種々変形可能である。
例えば、断熱材９の片面に耐火材１１を配置することに限らず、断熱材９の両面に耐火材１１を配置しても良い。
また、補助板２５は網材であっても良い。
【符号の説明】
【００３０】
１    建築用パネル
３    一方の金属板
３ａ  上端部
３ｂ  下端部
５    他方の金属板
５ａ  上端部
５ｂ  下端部
７    芯材
９    断熱板
１１  耐火板
１３  凸部
１５  凹部
２３  補強用耐火材
２５  補助板
２７  穴
【図１】
2013072266.tif 000003
【図２】
2013072266.tif 000004
【図３】
2013072266.tif 000005
【図４】
2013072266.tif 000006
【図５】
2013072266.tif 000007